(57)【要約】      （修正有）【課題】組み立てが簡単であり、門板を開けた時、収納空間内に門板を収置することができ、空間節省ができ、且つ、利便性に優れた組み合わせ式収納棚を提供する。【解決手段】本考案の組み合わせ式収納棚は、管型フレームと底板とから構成される底座フレームと限位板を具備する左・右側縦フレームと、中間縦隔フレームと、背板と、フレームと天板とから構成される天板フレームと、複数の横向ロッドと、複数の横隔板と、複数の門板とからなる。底座フレームと、左・右側縦フレームと、中間縦隔フレームと、背板と、天板フレームと、複数の横向ロッドと、複数の横隔板とが組み合わせ設置され、そこに複数の門板を滑動設置し、門板を収置することができるようにしたものである。【選択図】図２
0003115609.tif 000002
【実用新案登録請求の範囲】
【請求項１】
１つの底座フレームと、
左・右側縦フレームと、
１つの中間縦隔フレームと、
２つの背板と、
１つの天板フレームと、
複数の横向ロッドと、
複数の横隔板と、
複数の門板と、
を含み、
前記底座フレームは管型フレームと底板とからなり、当該底板は網孔を具備し、当該管型フレーム中央に当該底板が組み合わされ、一体化する構造であり、
前記左・右側縦フレームは左右両側壁をなし、前記左・右側縦フレームはそれぞれ底端内側が前記底座フレームの左右両側辺に相対し、ボルトにより結合され、内側の予設の高さに横向きに限位板が設けられ、後端内側に直立の嵌入槽が設けられ、
前記中間縦隔フレームは底端が前記底座フレームの中央に組み合わされ、前記左・右側縦フレームと平行且つ相対設置され、左右両側面に前記左・右側縦フレームの前記限位板と相対する高さに横向きに限位板を有し、後端の左右両側に前記左・右側縦フレームの前記嵌入槽に相対できるよう直立の嵌入槽を有し、
前記２つの背板はそれぞれ前記中間縦隔フレームと前記左・右側縦フレームの前記各嵌入槽の間に嵌め込み設置され、
前記天板フレームは１つのフレームと１つの天板とからなり、前記天板フレームは前記左・右側縦フレームと前記中間縦隔フレームの上端に設置される構造であり、具体的には、当該フレームの底面中央部は前記中間縦隔フレーム上端に組み合わせ固定でき、当該フレームの左右側は前記左・右側縦フレームの上端内側にそれぞれ組み合わせで固定可能であり、当該天板周辺は下向きの折縁部を具備し、当該天板左右周辺の当該折縁部は前記左・右側縦フレーム上端外側に組み合わせで固定可能であり、
前記複数の横向ロッドは前記左・右側縦フレームと前記中間縦隔フレームとの間の前後側の予設の高さに設置され、横向き支持部位を形成し、
前記複数の横隔板は前記横向ロッド上に設置され、収納空間を上下に隔離すると共に物品を載置可能であり、
前記複数の門板はそれぞれ前記中間縦隔フレームと前記左・右側縦フレームの前記各限位板の間に滑動設置され、前記門板は左右側面にそれぞれ限位導滑槽を有し、且つ、前記中間縦隔フレームと前記左・右側縦フレームの前端側面の前記各限位板より上方にそれぞれ定位支柱を有し、左右相対の２つの当該定位支柱に前記門板の左右側面の当該限位導滑槽が挿入設置され、前記門板を滑動状態で設置することができ、前記門板外側に取手が設置され、前記門板の取手を外にいっぱいまで引っ張り、前記門板を垂直状態にすることができ、収納空間を閉じることができ、前記門板の当該取手を上に引っ張り上げ、前記門板が水平になった時、内側方向に押し、前記門板を収置可能である、
組み合わせ式収納棚。
【請求項２】
前記門板は網孔を具備する、
請求項１に記載の組み合わせ式収納棚。
【請求項３】
前記門板は掛架を具備する、
請求項１に記載の組み合わせ式収納棚。
【請求項４】
前記中間縦隔フレームと前記左・右側縦フレームの前記嵌入槽は、凹状断面の金属条構造型態である、
請求項１に記載の組み合わせ式収納棚。
【考案の詳細な説明】
【技術分野】
【０００１】
本考案は、組み合わせ式収納棚に係るものであり、特に、門板を開けた時、収納空間内に門板を収置することができ、空間節省ができ、且つ、利便性に優れた金属製組み合わせ式収納棚に係るものである。
【背景技術】
【０００２】
従来の金属製収納棚は、結合個所が熔接、リベット、ボルト等により固定され、出荷する時、分解して出荷することができない為、運搬にコストがかかり、又、体積が大きい為、運ぶのにも不便であり、又、使用者が自分で分解できないという欠点がある。
【０００３】
現在、収納棚（物置き棚とも呼ばれる）は、組み合わせ構造型態に発展してきており、この種の収納棚の組み合わせ型態は目的機能別に異なる設計がなされているが、例えば、門板の開閉方式、載置板、天板、底板等があるが、その構造は組み合わせコスト、機能性、使用便益性に焦点を当てて、設計の改良が行なわれている。
【考案の開示】
【考案が解決しようとする課題】
【０００４】
本考案の目的は、組み合わせ式収納棚の構造で、特に、組み合わせコスト、機能性、使用便益性に焦点を当てて、設計の改良が行なわれている組み合わせ式収納棚を提供することにある。
【課題を解決するための手段】
【０００５】
本考案の組み合わせ式収納棚は、１つの底座フレーム10と、左・右側縦フレーム21及び22と、１つの中間縦隔フレーム30と、２つの背板40と、１つの天板フレーム50と、複数の横向ロッド60と、複数の横隔板70と、複数の門板80とからなる。
【０００６】
底座フレーム10は、管型フレーム11と底板12とからなり、底板12は、網孔13を具備し、管型フレーム11中央に底板12が組み合わされ、一体化する構造である。
【０００７】
左・右側縦フレーム21及び22は、組み合わせ式収納棚Aの左右両側壁をなし、左・右側縦フレーム21及び22は、それぞれ底端内側が底座フレーム10の左右両側辺に相対し、ボルトにより結合され、又、内側の予設の高さに横向きに限位板23が設けられ、又、後端内側に直立の嵌入槽24が設けられる。
【０００８】
中間縦隔フレーム30は底端が底座フレーム10の中央に組み合わされ、左・右側縦フレーム21及び22と平行且つ相対設置され、又、左右両側面に左・右側縦フレーム21及び22の限位板23と相対する高さに横向きに限位板31を有し、又、後端の左右両側に左・右側縦フレーム21及び22の嵌入槽24に相対できるよう直立の嵌入槽32を有する。
【０００９】
２つの背板40は、それぞれ中間縦隔フレーム30と左・右側縦フレーム21及び22の各嵌入槽32及び24の間に嵌め込み設置される。
【００１０】
天板フレーム50は、１つのフレーム51と１つの天板52とからなり、天板フレーム50は、左・右側縦フレーム21及び22と中間縦隔フレーム30の上端に設置される構造であり、具体的には、フレーム51の底面中央部は中間縦隔フレーム30上端に組み合わせ固定でき、フレーム51の左右側は、左・右側縦フレーム21及び22の上端内側にそれぞれ組み合わせ固定でき、又、天板52周辺下向きの折縁部53を具備し、天板52左右周辺の折縁部53は、左・右側縦フレーム21及び22上端外側に組み合わせ固定できる。
【００１１】
複数の横向ロッド60は、左・右側縦フレーム21及び22と中間縦隔フレーム30との間の前後側の予設の高さに設置され、横向き支持部位を形成する。
【００１２】
複数の横隔板70は、横向ロッド60上に設置され、収納空間を上下に隔離すると共に物品を載置することができる。
【００１３】
複数の門板80は、それぞれ中間縦隔フレーム30と左・右側縦フレーム21及び22の各限位板31及び23の間に滑動設置され、門板80は、左右側面にそれぞれ限位導滑槽81を有し、且つ、中間縦隔フレーム30と左・右側縦フレーム21及び22の前端側面の限位板31及び23より上方にそれぞれ定位支柱82を有する。左右相対の２つの定位支柱82に門板80の左右側面の限位導滑槽81が挿入設置されることにより、門板80を滑動状態で組み合わせ式収納棚A上に設置することができ、又、門板80外側に取手83が設置される。上記構造により門板80の取手83を外にいっぱいまで引っ張ることにより、門板80を垂直状態にすることができ、収納空間を閉じることができ、又、門板80の取手83を上に引っ張り上げ、門板80が水平になった時、内側方向に押すことにより、門板80を組み合わせ式収納棚A内に収置することができる。
【００１４】
組み立てが簡単であり、門板を開けた時、収納空間内に門板を収置することができ、空間節省ができ、且つ、利便性に優れた組み合わせ式収納棚Aを提供する。
【考案の効果】
【００１５】
底座フレーム10は、管型フレーム11と底板12とから構成される一体式構造型態により、部品の数量を減らすと共に構造強度を兼ね備えることができる。
【００１６】
天板フレーム50は、１つのフレーム51と１つの天板52とから構成され、天板フレーム50は、左・右側縦フレーム21と22と中間縦隔フレーム30の上端とに嵌合設置される構造により、比較的強固な組み合わせ定位性を具備することができ、又、天板52周辺に下向きの折縁部53を具備し、天板52左右周辺の折縁部53は、左・右側縦フレーム21と22上端外側を包覆する構造により外観美観を有する収納棚上部型態を提供でき、高品質のニーズにも答えることができる。
【００１７】
２つの該背板40は、それぞれ中間縦隔フレーム30と左・右側縦フレーム21と22の各嵌入槽32と24の間に嵌め込み設置される構造により、大幅にボルトの使用量を減らし、組み合わせコストを下げ、組み合わせ効率を上げることができる。
【００１８】
底座フレーム10の底板12と門板80は、網孔13と84を具備することにより、組み合わせ式収納棚A内によい通気効果を具備させることができる。
【００１９】
収置式門板80の構造型態により、門板80の取手83を上に引っ張り上げ、門板80が水平になった時、内側方向に押すことにより、門板80を組み合わせ式収納棚A内に収納することができ、収納空間の上部に門板80を収置する為、物品を収納する空間を妨げることがなく、又、門板80を開けた状態にしておくこともできる為、物品の出し入れが便利である。
【考案を実施するための最良の形態】
【００２０】
次に、添付した図面を参照しながら、本考案の好適な実施形態を詳細に説明する。
【００２１】
図１、図２、図３及び図４は、本考案の組み合わせ式収納棚Aの好適な実施例で、本実施例の組み合わせ式収納棚Aは、金属により製成された各部分を組み合わせたものであり、組み合わせ式収納棚Aは１つの底座フレーム10と、左・右側縦フレーム21及び22と、１つの中間縦隔フレーム30と、２つの背板40と、１つの天板フレーム50と、複数の横向ロッド60と、複数の横隔板70と、複数の門板80とからなる。
【００２２】
底座フレーム10は、管型フレーム11と底板12とからなり、底板12は網孔13を具備し、管型フレーム11中央に底板12が組み合わされ、一体化する構造である。
【００２３】
左・右側縦フレーム21と22は、組み合わせ式収納棚Aの左右両側壁をなし、左・右側縦フレーム21と22は、それぞれ底端内側が底座フレーム10の左右両側辺に相対し、ボルトにより結合され、又、内側の予設の高さに横向きに限位板23が設けられ、又、後端内側に直立の嵌入槽24が設けられる。
【００２４】
中間縦隔フレーム30は、底端が底座フレーム10の中央に組み合わされ、左・右側縦フレーム21と22と平行且つ相対設置され、又、左右両側面に左・右側縦フレーム21と22の限位板23と相対する高さに横向きに限位板31を有し、又、後端の左右両側に左・右側縦フレーム21と22の嵌入槽24に相対できるよう直立の嵌入槽32を有する。
【００２５】
２つの背板40は、それぞれ中間縦隔フレーム30と左・右側縦フレーム21と22の各嵌入槽32と24の間に嵌め込み設置される。
【００２６】
天板フレーム50は１つのフレーム51と１つの天板52とからなり、天板フレーム50は、左・右側縦フレーム21及び22と中間縦隔フレーム30の上端に設置される構造であり、具体的には、フレーム51の底面中央部は中間縦隔フレーム30上端に組み合わせ固定でき、フレーム51の左右側は左・右側縦フレーム21と22の上端内側にそれぞれ組み合わせ固定でき、又、天板52周辺は下向きの折縁部53を具備し、天板52左右周辺の折縁部53は左・右側縦フレーム21と22上端外側に組み合わせ固定できる。
【００２７】
複数の横向ロッド60は左・右側縦フレーム21及び22と中間縦隔フレーム30との間の前後側の予設の高さに設置され、横向き支持部位を形成する。
【００２８】
複数の横隔板70は横向ロッド60上に設置され、収納空間を上下に隔離すると共に物品を載置することができる。
【００２９】
複数の門板80はそれぞれ中間縦隔フレーム30と左・右側縦フレーム21及び22の各限位板31と23の間に滑動設置され、門板80は左右側面にそれぞれ限位導滑槽81を有し、且つ、中間縦隔フレーム30と左・右側縦フレーム21及び22の前端側面の限位板31と23より上方にそれぞれ定位支柱82を有し、左右相対の２つの定位支柱82に門板80の左右側面の限位導滑槽81が挿入設置されることにより、門板80を滑動状態で組み合わせ式収納棚A上に設置することができ、又、門板80外側に取手83が設置される。
【００３０】
上記構造により門板80の取手83を外にいっぱいまで引っ張ることにより、門板80を垂直状態にすることができ、収納空間を閉じることができ、又、門板80の取手83を上に引っ張り上げ、門板80が水平になった時、内側方向に押すことにより、門板80を組み合わせ式収納棚A内に収置することができる。
【００３１】
上記構造中、門板80は網孔84を具備することもできる。
【００３２】
上記構造中、門板80は掛架85を具備することもできる。
【００３３】
上記構造中、中間縦隔フレーム30と左・右側縦フレーム21及び22の嵌入槽32と24は、凹状断面の金属条構造型態でもよい。
【００３４】
上記構造及び構造による本考案の門板80の使用状況は以下の如くである。
【００３５】
図１に示す如く、各門板80を下におろし、収納空間を閉じた状態にすることができる。図４、５、６に示す如く、門板80の取手83を外にいっぱいまで引っ張ることにより、門板80を垂直状態にすることができ、即ち、収納空間を閉じることができ、又、門板80の取手83を上に引っ張り上げ、門板80が水平になった時（図７が示す如く）、内側方向に押すことにより、門板80を組み合わせ式収納棚A内に収納することができる。
【００３６】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００３７】
【図１】本考案の組み合わせ式収納棚を示す構造図である。
【図２】本考案の組み合わせ式収納棚を示す構造図である。
【図３】本考案の組み合わせ式収納棚を示す局部構造図である。
【図４】本考案の門板を開けた状態を示す構造図である。
【図５】本考案の門板を開けた後、収置することができる状態を示す構造図である。
【図６】本考案の門板を開けた状態を示す断面図である。
【図７】本考案の門板を収置する状態を示す断面図である。
【符号の説明】
【００３８】
A  組み合わせ式収納棚
10  底座フレーム
11  管型フレーム
12  底板
13  網孔
21  左側縦フレーム
22  右側縦フレーム
23  限位板
24  嵌入槽
30  中間縦隔フレーム
31  限位板
32  嵌入槽
40  背板
50  天板フレーム
51  フレーム
52  天板
53  折縁部
60  横向ロッド
70  横隔板
80  門板
81  限位導滑槽
82  定位支柱
83  取手
84  網孔
85  掛架
【図１】
0003115609.tif 000003
【図２】
0003115609.tif 000004
【図３】
0003115609.tif 000005
【図４】
0003115609.tif 000006
【図５】
0003115609.tif 000007
【図６】
0003115609.tif 000008
【図７】
0003115609.tif 000009